(57)【要約】【課題】ペン芯の新構造の提供。【解決手段】本考案の構造は、特に、直接、ペン芯末端に弾性素子を設置し、ペンを不注意で落とした時、弾性素子により衝撃力を吸収し、ペン芯が損壊するのを防止する。主に、ペン芯棒頂端に連接棒を挿入し、その後、弾性素子を置入し、最後に、閉合棒を係入し、ペン芯末端は弾性素子を結合すると共に、圧縮して上下移動し、ペン棒を挿入使用する時、弾性素子により締結し、使用功能に影響せず、且つ、不注意でペンを落とした時、ペン芯は弾性素子の弾力により、圧縮して内縮を生成し、衝撃力を緩衝して、ペン芯が損壊しない。また、ペン芯は単独で販売しているので、ペン棒があれば、ペン芯を随時交換して長期使用できる。【選択図】図３
0003145308.tif 000002
【実用新案登録請求の範囲】
【請求項１】
ペン芯の構造であって、ペン棒中空内部に設置され、頂端は弾性素子を設置し、その特徴は、前記ペン芯はペン芯棒を有し、頂端は連接棒を挿入し、前記連接棒の上端は係合部を有すると共に、弾性素子を係入し、前記弾性素子頂端は閉合棒を置入し、且つ、前記連接棒の係合部に接続され、前記弾性素子を圧縮して、前記閉合棒を上下移動させることを特徴とするペン芯の構造。
【請求項２】
前記ペン芯棒は前記ペン芯と一体成型でき、且つ、前記連接棒は凸環を有し、前記ペン芯棒と弾性素子が抵圧することを特徴とする請求項１に記載のペン芯の構造。
【請求項３】
前記閉合棒は中空の係入部を形成し、前記連接棒の係合部を係入し、且つ、上端はペン頭を有し、前記弾性素子を圧制し、下端は制止環により、前記弾性素子を定位することを特徴とする請求項１に記載のペン芯の構造。
【請求項４】
前記ペン芯は前記ペン棒内に置入する時、頂端は前記ペン頭と抵圧する圧制素子を螺固し、内部は圧制棒を設置することを特徴とする請求項１に記載のペン芯の構造。
【考案の詳細な説明】
【技術分野】
【０００１】
本考案はペン芯の構造に関するものであって、特に、ペン芯棒末端に連接棒を挿置すると共に、弾性素子を置入し、最後に、閉合棒を設置し、ペン芯末端が弾性素子を結合し、ペン芯が受ける外力の衝撃を緩衝し、ペン芯が損壊するのを防止し、且つ、ペン芯は単独で組み立て出来、交換が迅速で便利なペン芯に関するものである。
【背景技術】
【０００２】
公知のペン棒とペン芯の組み立ては、主に、ペン芯をペン棒内に入れ、その後、螺固して使用するものである。ペン芯が書けなくなった時、直接、ペン棒を開けてペン芯を交換した後、螺固して使用し、これにより、ペンを買い換える必要がなく、ペン芯を交換するだけでよい。更に進んだ筆記具が図１で示され、中空のペン棒１、ペン棒１頂端の凹槽１１、ペン芯１０、上端の凸部１０１、ばね１２、からなる。ばね一端はペン棒１頂端の凹槽１１内を抵圧し、ペン芯１０はばね１２の弾力により上下に伸縮し、これにより、ペン芯が外力の衝撃を受ける（図２）と、ばね１２が衝撃力を緩衝し、ペン芯１０をペン棒1中空内部に内縮し、その後、ばね１２の回復力により芯を推出し、筆記具を損壊することがない。また、ペン芯末端にバネを設置する方式も可能で、多種の異なる構造が提供されているが、以下のような欠点がある。
【０００３】
１．  
ペン棒１とペン芯１０はばね１２の設置により、ばね１２の造型を考慮する必要があり、更に、ペン棒１、及び、ペン芯１０上端の設計を変更し、組立て時に、なんらかの素子を設置しなければならないので、面倒である。
２．  
ペン芯１０が書けなくなった時、組立ての問題に加え、単独でペン芯１０を製造していないので、ペンは捨てるしかなく、新たに筆記具を買う必要があるので、経済的ではない。
【考案の開示】
【考案が解決しようとする課題】
【０００４】
本考案の目的は、上述の問題を改善するようなペン芯構造を提供することにある。
【課題を解決するための手段】
【０００５】
本考案のペン芯構造は、特に、直接、ペン芯棒末端に弾性素子を結合し、ペン芯の置入時、弾性素子が外来の衝撃を吸収し、ペン棒の上下伸縮を制御し、且つ、ペン芯の交換が迅速で便利である。主に、ペン芯頂端に連接棒を挿入し、連接棒上に弾性素子を設置し、最後に、閉合棒を置入する。閉合棒を押圧するとき、弾性素子の弾力により、連接棒を上下移動させるので、ペン芯は単独で組み立てが完成でき、ペン棒中空内部に置入するとき、閉合棒頂端を抵圧するだけで、ペン芯が外圧や衝撃を受けると、弾性素子がペン芯を内縮して衝撃力を緩衝し、ペン芯が損壊するのを防止し、特に、ペン芯が書けなくなったあと、随時、ペン芯を迅速に交換でき、ペンを買い換える必要がない。
【考案の効果】
【０００６】
本考案のペン芯は、ペン芯が外圧や衝撃を受けると、弾性素子がペン芯を内縮して衝撃力を緩衝し、ペン芯が損壊するのを防止し、更に、ペン芯が書けなくなったあと、随時、ペン芯を迅速に交換でき、ペンを買い換える必要がなく、経済的である。
【考案を実施するための最良の形態】
【０００７】
図３は本考案の立体図である。本構造は、ペン棒２、連接棒３、弾性素子４、及び、閉合棒５からなる。ペン棒２は中空で、頂端は挿入孔２０を形成し、公知のペン芯１０上に接続するか、或いは、公知のペン芯１０と一体成型する。連接棒３底端は挿入部３１を設置し、上端は係合部３２で、中央は凸環３０を形成する。また、弾性素子４は係合部３２に係入されると共に、凸環３０上に抵圧する。閉合棒５は、底端が係入部５１で、弾性素子４を挿入し、連接棒３の係合部３２を係入し、上端は制止環５２で、弾性素子４を挿入するとき、定位することができる。且つ、頂端は弾性素子４より内径が大きいペン頭５０を形成する。
【０００８】
図４は、本考案の組み立て図であり、ペン棒２は公知のペン芯１０を係入するか、或いは、一体成型し、頂端は挿入孔２０を形成し、連接棒３は下端の挿入部３１により、ペン棒２上端の挿入孔２０に挿入して定位し、凸環３０によりペン棒２頂端で抵圧し、その後、弾性素子４を連接棒３上端の係合部３２に係入し、同様に、凸環３０上を抵圧する。閉合棒５下方の係入部５１は、中空で、且つ、係合部３２より若干大きく、よって、弾性素子４を置入する時、係合部３２上に係入し、制止環５２により、弾性素子４を定位し、且つ、ペン頭５０により弾性素子４頂端を抵圧し、これにより、ペン頭５０を押圧する時、弾性素子４を圧縮し、係入部５１を係合部３２上で上下に移動させ、これにより、本考案のペン芯装置は、独立して組立て完成できる。
【０００９】
図５は、本考案の実際の使用状態を示す図で、ペン芯１０をペン棒６中空内部に置入し、頂端は圧制素子６０を螺固し、内部は圧制棒６０１を設置し、ペン芯１０頂端のペン頭５０を結合し、これにより、ペン棒６の放置不当や地面に落ちた時、衝撃力により弾性素子４を圧縮して緩衝し、ペン芯１０を内縮し（図６）、外力の衝撃を和らげて、ペン芯１０が衝撃により損壊するのを防止する。
【００１０】
ペン芯１０が書き終わったら、圧制素子６０を旋開し、ペン芯１０を取り出し、新しいペン芯１０に交換した後、圧制素子６０を螺合して締めればよく、非常に迅速、便利で、特に、ペン棒６を使用し、ペン芯１０を交換すれば、長く使用でき、経済効果が高い。
【図面の簡単な説明】
【００１１】
【図１】公知の筆記具の断面図である。
【図２】公知の筆記具の圧縮時の断面図である。
【図３】本考案の立体分解図である。
【図４】本考案の組み立て後の図である。
【図５】本考案をペン棒に設置した状態図である。
【図６】本考案の圧縮時の状態図である。
【符号の説明】
【００１２】
１      ペン棒
１０    ペン芯
１０１  凸部
１１    凹槽
１２    ばね
２      ペン棒
２０    挿入孔
３      連接棒
３０    凸環
３１    挿入部
３２    係合部
４      弾性素子
５      閉合棒
５１    係入部
５２    制止環
６      ペン棒
６０    圧制素子
６０１  圧制棒
【図１】
0003145308.tif 000003
【図２】
0003145308.tif 000004
【図３】
0003145308.tif 000005
【図４】
0003145308.tif 000006
【図５】
0003145308.tif 000007
【図６】
0003145308.tif 000008
【手続補正書】
【提出日】平成20年4月4日(2008.4.4)
【手続補正１】
【補正対象書類名】実用新案登録請求の範囲
【補正対象項目名】全文
【補正方法】変更
【補正の内容】
【実用新案登録請求の範囲】
【請求項１】
ペン芯の構造であって、頂端に弾性素子を設置し、その特徴は、前記ペン芯はペン芯棒を有し、頂端に連接棒を挿入し、前記連接棒の上端に係合部を有すると共に、弾性素子を係入し、前記弾性素子頂端に閉合棒を置入し、前記連接棒の係合部に接続され、これにより、閉合棒を押圧する時、前記弾性素子を圧縮して、前記閉合棒の係入部が前記連接棒の係合部で上下移動することを特徴とするペン芯の構造。
【請求項２】
前記連接棒は凸環を有し、前記ペン芯棒と弾性素子が緊密に抵接することを特徴とする請求項１に記載のペン芯の構造。
【請求項３】
前記閉合棒に中空の係入部を形成して、前記連接棒の係合部を設置し、且つ、前記閉合棒の上端はペン頭を有し、前記弾性素子を圧制し、ペン頭下端に制止環を形成して、前記弾性素子に定位することを特徴とする請求項１に記載のペン芯の構造。
【請求項４】
前記ペン棒頂端に、前記閉合棒の前記ペン頭が緊密に抵接する圧制素子を螺固し、前記圧制素子内側は圧制棒を形成していることを特徴とする請求項１に記載のペン芯の構造。
【手続補正書】
【提出日】平成20年8月5日(2008.8.5)
【手続補正１】
【補正対象書類名】実用新案登録請求の範囲
【補正対象項目名】全文
【補正方法】変更
【補正の内容】
【実用新案登録請求の範囲】
【請求項１】
先端には、収容したペン芯、連接棒、弾性素子、閉合棒から成る一体物のペン芯のペン芯先の出入自在穴を設け、頂端には、収容した前記一体物の抜け落ちを阻止する機能を果たす圧制棒を形成した圧制素子を配設したペン軸内に収容する前記一体物の構造を、
先端からペン芯先を突出させて挿入し、頂端の挿入孔から、係合部、凸環、挿入部から成る連接棒の凸環下の挿入部を挿入したペン芯棒の連接棒の凸環上の係合部にはコイルバネとして形成した弾性素子を挿入し、コイルバネである弾性素子には中空の係入部、制止環、ペン頭から成る閉合棒の係入部をコイルバネである弾性素子に挿入し、該弾性素子に挿入した前記連接棒の係合部に向かってペン頭を頂部として凸環下の係入部を差し込んだ構成としたことを特徴とするペン芯の構造。
【手続補正２】
【補正対象書類名】明細書
【補正対象項目名】０００７
【補正方法】変更
【補正の内容】
【０００７】
図３は本考案の立体図である。本構造は、ペン棒２、連接棒３、弾性素子４、及び、閉合棒５からなる。ペン芯棒２は中空で、頂端は挿入孔２０を形成し、公知のペン芯１０上を内側に収容し、先端はペン芯先端を出入自在とする穴が設けられた構成とする。連接棒３の底端はペン芯棒２の頂端２０から挿入する挿入部３１として設置し、連接棒３は頂端を係合部３２として構成し、その中間に凸環３０を構成する。また、弾性素子４は図示実施例に図示するようにコイル状に巻き取ったスプリングとして構成し、弾性素子４は底端から連接棒３の頂端に形成した係合部３２に挿入すると共に、弾性素子４の底端を以て連接棒３の中間に形成した凸環３０を押圧する。閉合棒５は、底端を連接棒３の係合部３２の係入部５１として形成し、頂端は弾性素子４より内径が大きいペン頭５０とし、ペン頭５０下を制止環５２として形成する。該係入部５１の先端を弾性素子４の頂端から挿入し、弾性素子４の内側で連接棒３の係合部３２に挿入したときは、閉合棒５０の頂端のペン頭５０側に形成した制止環５２で、弾性素子４をペン棒２の頂端２０と閉合棒５のペン頭５０の制止環の間で狭まった状態で定位することができる。
【手続補正３】
【補正対象書類名】明細書
【補正対象項目名】０００８
【補正方法】変更
【補正の内容】
【０００８】
図４は、本考案の組み立て図であり、ペン芯棒２は頂端は挿入孔２０を形成し、公知のペン芯１０を係入する。連接棒３は下端の挿入部３１を、ペン芯棒２上端の挿入孔２０に挿入して定位し、連接棒３の凸環３０によりペン芯棒２頂端で押圧し、その後、弾性素子４を連接棒３上端の係合部３２に係入し、同様に、凸環３０上を抵圧する。閉合棒５下方の係入部５１は、中空で、且つ、係合部３２より若干大きく、よって、弾性素子４を置入する時、係合部３２上に係入し、制止環５２により、弾性素子４を定位し、且つ、ペン頭５０により弾性素子４頂端を抵圧し、これにより、ペン頭５０を押圧する時、弾性素子４を圧縮し、係入部５１を係合部３２上で上下に移動させ、これにより、本考案のペン芯装置は、独立して組立て完成できる。
【手続補正４】
【補正対象書類名】明細書
【補正対象項目名】０００９
【補正方法】変更
【補正の内容】
【０００９】
図５は、本考案の実際の使用状態を示す図で、ペン芯１０をペン軸６中空内部に置入し、ペン軸６の頂端は圧制素子６０を螺固し、内部は圧制棒６０１を設置し、ペン芯１０頂端のペン頭５０を結合し、これにより、ペン軸６の放置不当や地面に落ちた時、衝撃力により弾性素子４を圧縮して緩衝し、ペン芯１０を内縮し（図６）、外力の衝撃を和らげて、ペン芯１０が衝撃により損壊するのを防止する。
【手続補正５】
【補正対象書類名】明細書
【補正対象項目名】００１０
【補正方法】変更
【補正の内容】
【００１０】
ペン芯１０が書き終わったら、ペン軸６の頂部に配した圧制素子６０を旋開し、ペン芯棒２からペン芯１０を取り出し、新しいペン芯１０に交換した後、圧制素子６０を螺合して締めればよく、非常に迅速、便利で、特に、ペン軸６を使用し、ペン芯１０を交換すれば、長く使用でき、経済効果が高い。
【手続補正６】
【補正対象書類名】明細書
【補正対象項目名】００１２
【補正方法】変更
【補正の内容】
【００１２】
１      ペン棒
１０    ペン芯
１０１  凸部
１１    凹槽
１２    ばね
２      ペン芯棒
２０    挿入孔
３      連接棒
３０    凸環
３１    挿入部
３２    係合部
４      弾性素子
５      閉合棒
５０    ペン頭
５１    係入部
５２    制止環
６      ペン軸
６０    圧制素子